(57)【要約】【課題】  ネットワークの帯域を占有することなく伝送路切替を実施する。【解決手段】一方の伝送路切替装置は、受信ノードに接続された現用系伝送路の伝送路断を主信号および接続検査信号の受信状況に基づいて検出したときに伝送路切替要求を示す制御信号を主信号間に挿入して他方の伝送路切替装置に送信するとともに、受信ノードと現用系伝送路との接続を解除して受信ノードを予備系伝送路に接続する。他方の伝送路切替装置は、伝送路切替要求を示す制御信号を一方の伝送路切替装置から受信したときに一方の伝送路切替装置への主信号の送信動作を停止するとともに、送信ノードと現用系伝送路との接続を解除して送信ノードを予備系伝送路に接続する。制御信号を主信号間に挿入して送信することで他方の伝送路切替装置に送信される主信号に影響を与えないため、ネットワークの帯域を占有することなく伝送路切替を実施できる。【選択図】    図２
2005268889.tif 000002
【特許請求の範囲】
【請求項１】
主信号を送受信する通信装置間に設けられた現用系伝送路および予備系伝送路と、
各通信装置と現用系伝送路および予備系伝送路との間に設けられ、一方の送信ノードが他方の受信ノードに現用系伝送路を介して接続された一対の伝送路切替装置とを備え、
各伝送路切替装置は、
接続検査信号を相手側の伝送路切替装置に送信する接続検査信号送信手段と、
受信ノードに接続された現用系伝送路の伝送路断を、相手側の伝送路切替装置から送信される主信号および接続検査信号の受信状況に基づいて検出する伝送路断検出手段と、
前記伝送路断検出手段による伝送路断の検出に応答して、受信ノードと現用系伝送路との接続を解除するとともに、受信ノードを予備系伝送路に接続する受信側切替手段と、
前記伝送路断検出手段による伝送路断の検出に応答して、伝送路切替要求を示す制御信号を主信号間に挿入して相手側の伝送路切替装置に送信し、伝送路切替要求を示す制御信号を相手側の伝送路切替装置から受信したときに、主信号の送信動作を停止する送信手段と、
伝送路切替要求を示す制御信号を相手側の伝送路切替装置から受信したときに、送信ノードと現用系伝送路との接続を解除し、送信ノードを予備系伝送路に接続する送信側切替手段とを備えていることを特徴とする伝送路切替システム。
【請求項２】
請求項１記載の伝送路切替システムにおいて、
前記送信手段は、
前記送信側切替手段による伝送路の切替完了に応答して、伝送路切替完了を示す制御信号を相手側の伝送路切替装置に送信し、
伝送路切替完了を示す制御信号を相手側の伝送路切替装置から受信したときに、主信号の送信再開要求を示す制御信号を主信号間に挿入して相手側の伝送路切替装置に送信し、
主信号の送信再開要求を示す制御信号を相手側の伝送路切替装置から受信したときに、主信号の送信動作を再開することを特徴とする伝送路切替システム。
【請求項３】
請求項１記載の伝送路切替システムにおいて、
各伝送路切替装置は、受信ノードに接続された現用系伝送路における通信品質の劣化を、相手側の伝送路切替装置から送信される主信号中の品質検査情報に基づいて検出する品質劣化検出手段を備え、
前記受信側切替手段は、前記伝送路断検出手段による伝送路断の検出に加えて、前記品質劣化検出手段による通信品質の劣化の検出にも応答して、受信ノードと現用系伝送路との接続を解除するとともに、受信ノードを予備系伝送路に接続し、
前記送信手段は、前記伝送路断検出手段による伝送路断の検出に加えて、前記品質劣化検出手段による通信品質の劣化の検出にも応答して、伝送路切替要求を示す制御信号を主信号間に挿入して相手側の伝送路切替装置に送信することを特徴とする伝送路切替システム。
【請求項４】
請求項１記載の伝送路切替システムにおいて、
各伝送路切替装置は、
光伝送路として構成される現用系伝送路および予備系伝送路と前記送信側切替手段との間に設けられ、電光変換の機能不良を生じたときに遠端障害表示信号を相手側の伝送路切替装置に送信する電光変換手段と、
光伝送路として構成される現用系伝送路および予備系伝送路と前記受信側切替手段との間に設けられた光電変換手段とを備え、
前記受信側切替手段は、前記伝送路断検出手段による伝送路断の検出に加えて、相手側の伝送路切替装置から送信される遠端障害表示信号の受信にも応答して、受信ノードと現用系伝送路との接続を解除するとともに、受信ノードを予備系伝送路に接続し、
前記送信手段は、前記伝送路断検出手段による伝送路断の検出に加えて、相手側の伝送路切替装置から送信される遠端障害表示信号の受信にも応答して、伝送路切替要求を示す制御信号を主信号間に挿入して相手側の伝送路切替装置に送信することを特徴とする伝送路切替システム。
【請求項５】
主信号を送受信する通信装置間に設けられた現用系伝送路および予備系伝送路と、各通信装置と現用系伝送路および予備系伝送路との間に設けられ、一方の送信ノードが他方の受信ノードに現用系伝送路を介して接続された一対の伝送路切替装置とを備えた伝送路切替システムの動作方法であって、
一方の伝送路切替装置は、受信ノードに接続された現用系伝送路の伝送路断を、他方の伝送路切替装置から送信される主信号および接続検査信号の受信状況に基づいて検出したときに、伝送路切替要求を示す制御信号を主信号間に挿入して他方の伝送路切替装置に送信するとともに、受信ノードと現用系伝送路との接続を解除して受信ノードを予備系伝送路に接続し、
他方の伝送路切替装置は、伝送路切替要求を示す制御信号を一方の伝送路切替装置から受信したときに、一方の伝送路切替装置への主信号の送信動作を停止するとともに、送信ノードと現用系伝送路との接続を解除して送信ノードを予備系伝送路に接続することを特徴とする伝送路切替システムの動作方法。
【請求項６】
請求項５記載の伝送路切替システムの動作方法において、
他方の伝送路切替装置は、送信ノードの伝送路切替を完了したときに、伝送路切替完了を示す制御信号を一方の伝送路切替装置に送信し、
一方の伝送路切替装置は、伝送路切替完了を示す制御信号を他方の伝送路切替装置から受信したときに、主信号の送信再開要求を示す制御信号を主信号間に挿入して他方の伝送路切替装置に送信し、
他方の伝送路切替装置は、主信号の送信再開要求を示す制御信号を一方の伝送路切替装置から受信したときに、一方の伝送路切替装置への主信号の送信動作を再開することを特徴とする伝送路切替システムの動作方法。
【請求項７】
請求項５記載の伝送路切替システムの動作方法において、
一方の伝送路切替装置は、受信ノードに接続された現用系伝送路の伝送路断を検出したときに加えて、受信ノードに接続された現用系伝送路における通信品質の劣化を、他方の伝送路切替装置から送信される主信号中の品質検査情報に基づいて検出したときにも、伝送路切替要求を示す制御信号を主信号間に挿入して相手側の伝送路切替装置に送信するとともに、受信ノードと現用系伝送路との接続を解除して受信ノードを予備系伝送路に接続することを特徴とする伝送路切替システムの動作方法。
【請求項８】
請求項５記載の伝送路切替システムの動作方法において、
一方の伝送路切替装置は、現用系伝送路および予備系伝送路が光伝送路として構成される場合、受信ノードに接続された現用系伝送路の伝送路断を検出したときに加えて、他方の伝送路切替装置の現用系伝送路に対応する電光変換の機能不良に伴う遠端障害表示信号を受信したときにも、伝送路切替要求を示す制御信号を主信号間に挿入して相手側の伝送路切替装置に送信するとともに、受信ノードと現用系伝送路との接続を解除して受信ノードを予備系伝送路に接続することを特徴とする伝送路切替システムの動作方法。
【発明の詳細な説明】
【技術分野】
【０００１】
本発明は、主信号を送受信する通信装置間に設けられる伝送路切替システムおよび伝送路切替システムの動作方法に関する。
【背景技術】
【０００２】
図７は、従来の伝送路切替システムを示している。
Ａ局の端局装置１０（データ伝送装置）は、主信号の多重分離部１１、現用系の送信部（ＴＸ−Ｗ）１２、現用系の受信部（ＲＸ−Ｗ）１３、予備系の送信部（ＴＸ−Ｐ）１４、予備系の受信部（ＲＸ−Ｐ）１５および監視制御部１６を有している。また、Ｂ局の端局装置２０（データ伝送装置）は、主信号の多重分離部２１、現用系の受信部（ＲＸ−Ｗ）２２、現用系の送信部（ＴＸ−Ｗ）２３、予備系の受信部（ＲＸ−Ｐ）２４、予備系の送信部（ＴＸ−Ｐ）２５および監視制御部２６を有している。現用系および予備系では、同一の主信号がやりとりされており、各端局装置１０、２０は、通常、現用系の主信号を現用側かつ予備系の主信号を予備側として信号処理を行うが、現用系において障害が発生した場合、現用系の主信号を予備側かつ予備系の主信号を現用側として信号処理を行う（例えば、特許文献１参照）。
【０００３】
このような伝送路切替システムでは、例えば、現用系伝送路の上り回線で伝送路断１が発生すると、Ｂ局において、受信部２２が受信異常ＡＬＭ−Ｗを検出し、監視制御部２６に通知する。監視制御部２６は、受信異常ＡＬＭ−Ｗの通知を受けると、Ｂ局の受信ルートを受信部２４側に切り替えると共に、Ｂ局の送信ルートを送信部２５側に切り替え、主信号中に受信障害検出信号ＦＥＲＦ−Ｗを挿入してＡ局に返送する。Ａ局において、監視制御部１６は、受信した主信号中に受信障害検出信号が挿入されているか否かを常時監視しており、受信障害検出信号ＦＥＲＦ−Ｗを検出すると、Ａ局の受信ルートを受信部１５側に切り替えると共に、Ａ局の送信ルートを送信部１４側に切り替え、主信号中に切替完了信号ＳＷＣを挿入してＢ局へ返送する。このようにして、現用系から予備系への同期化切替制御が行われる。なお、予備系から現用系への同期化切替制御も同様である。また、Ａ局およびＢ局は対称に構成されているため、現用系伝送路の下り回線で伝送路断２が発生した場合にも、同様の同期化切替制御が行われる。
【特許文献１】特開平９−２６１１３２号公報
【発明の開示】
【発明が解決しようとする課題】
【０００４】
しかしながら、従来の伝送路切替システムでは、伝送路を切り替える際に、主信号中に受信障害検出信号および切替完了信号を挿入して送信するため、ネットワークの帯域を占有してしまう。また、従来の伝送路切替システムでは、伝送路で物理的な障害（すなわち、伝送路断）が発生した場合にのみ伝送路切替が行われるため、高い通信品質が要求される場合に、伝送路で伝送損失の増大（すなわち、通信品質の劣化）が発生しても、伝送路を切り替えることはできない。
【０００５】
本発明は、このような従来の問題点に鑑みてなされたものであり、ネットワークの帯域を占有することなく伝送路切替を実施することを目的とする。また、本発明の別の目的は、伝送路断の発生に加えて、伝送路における通信品質の劣化が発生した場合にも伝送路切替を実施することにある。
【課題を解決するための手段】
【０００６】
請求項１の伝送路切替システムは、主信号を送受信する通信装置間に設けられた現用系伝送路および予備系伝送路と、各通信装置と現用系伝送路および予備系伝送路との間に設けられ、一方の送信ノードが他方の受信ノードに現用系伝送路を介して接続された一対の伝送路切替装置とを備え、各伝送路切替装置は、接続検査信号を相手側の伝送路切替装置に送信する接続検査信号送信手段と、受信ノードに接続された現用系伝送路の伝送路断を、相手側の伝送路切替装置から送信される主信号および接続検査信号の受信状況に基づいて検出する伝送路断検出手段と、前記伝送路断検出手段による伝送路断の検出に応答して、受信ノードと現用系伝送路との接続を解除するとともに、受信ノードを予備系伝送路に接続する受信側切替手段と、前記伝送路断検出手段による伝送路断の検出に応答して、伝送路切替要求を示す制御信号を主信号間に挿入して相手側の伝送路切替装置に送信し、伝送路切替要求を示す制御信号を相手側の伝送路切替装置から受信したときに、主信号の送信動作を停止する送信手段と、伝送路切替要求を示す制御信号を相手側の伝送路切替装置から受信したときに、送信ノードと現用系伝送路との接続を解除し、送信ノードを予備系伝送路に接続する送信側切替手段とを備えていることを特徴とする。
【０００７】
以上のような構成の伝送路切替システムでは、一方の伝送路切替装置の伝送路断検出手段が現用系伝送路の伝送路断を検出すると、一方の伝送路切替装置の送信手段は、伝送路切替要求を示す制御信号を主信号間に挿入して他方の伝送路切替装置に送信する。また、一方の伝送路切替装置の受信側切替手段は、受信ノードと現用系伝送路との接続を解除して受信ノードを予備系伝送路に接続する。そして、他方の伝送路切替装置が伝送路切替要求を示す制御信号を一方の伝送路切替装置から受信すると、他方の伝送路切替装置の送信手段は、一方の伝送路切替装置への主信号の送信動作を停止する。また、他方の伝送路切替装置の送信側切替手段は、送信ノードと現用系伝送路との接続を解除して送信ノードを予備系伝送路に接続する。これにより、一方の伝送路切替装置の受信ノードと他方の伝送路切替装置の送信ノードとが予備系伝送路を介して接続され、通信装置間における伝送路断の復旧が完了する。一方の伝送路切替装置の送信手段は、伝送路切替要求を示す制御信号を主信号間に挿入して送信するため、制御信号が他方の伝送路切替装置に送信される主信号に影響を及ぼすことはない。このため、通信装置が利用するネットワークの帯域を占有することなく伝送路切替を実施でき、伝送路断を円滑に復旧できる。
【０００８】
請求項２の伝送路切替システムは、請求項１記載の伝送路切替システムにおいて、前記送信手段は、前記送信側切替手段による伝送路の切替完了に応答して、伝送路切替完了を示す制御信号を相手側の伝送路切替装置に送信し、伝送路切替完了を示す制御信号を相手側の伝送路切替装置から受信したときに、主信号の送信再開要求を示す制御信号を主信号間に挿入して相手側の伝送路切替装置に送信し、主信号の送信再開要求を示す制御信号を相手側の伝送路切替装置から受信したときに、主信号の送信動作を再開することを特徴とする。
【０００９】
以上のような構成の伝送路切替システムでは、一方の伝送路切替装置から他方の伝送路切替装置に伝送路切替要求を示す制御信号を送信した場合、他方の伝送路切替装置の送信側切替手段が送信ノードの伝送路切替を完了すると、他方の伝送路切替装置の送信手段は、伝送路切替完了を示す制御信号を一方の伝送路切替装置に送信する。そして、一方の伝送路切替装置が伝送路切替完了を示す制御信号を他方の伝送路切替装置から受信すると、一方の伝送路切替装置の送信手段は、主信号の送信再開要求を示す制御信号を主信号間に挿入して他方の伝送路切替装置に送信する。この後、他方の伝送路切替装置が主信号の送信再開要求を示す制御信号を一方の伝送路切替装置から受信すると、他方の伝送路切替装置の送信手段は、一方の伝送路切替装置への主信号の送信動作を再開する。他方の伝送路切替装置の送信手段が伝送路切替完了を示す制御信号を一方の伝送路切替装置に送信することで、一方の伝送路切替装置における伝送路切替完了を示す制御信号の受信の有無により予備系伝送路の正常性を容易に確認できる。また、一方の伝送路切替装置の送信手段は、主信号の送信再開要求を示す制御信号を主信号間に挿入して送信するため、制御信号が他方の伝送路切替装置に送信される主信号に影響を及ぼすことはない。このため、通信装置が利用するネットワークの帯域を占有することなく、他方の伝送路切替装置における主信号の送信動作を再開できる。
【００１０】
請求項３の伝送路切替システムは、請求項１記載の伝送路切替システムにおいて、各伝送路切替装置は、受信ノードに接続された現用系伝送路における通信品質の劣化を、相手側の伝送路切替装置から送信される主信号中の品質検査情報に基づいて検出する品質劣化検出手段を備え、前記受信側切替手段は、前記伝送路断検出手段による伝送路断の検出に加えて、前記品質劣化検出手段による通信品質の劣化の検出にも応答して、受信ノードと現用系伝送路との接続を解除するとともに、受信ノードを予備系伝送路に接続し、前記送信手段は、前記伝送路断検出手段による伝送路断の検出に加えて、前記品質劣化検出手段による通信品質の劣化の検出にも応答して、伝送路切替要求を示す制御信号を主信号間に挿入して相手側の伝送路切替装置に送信することを特徴とする。
【００１１】
以上のような構成の伝送路切替システムでは、一方の伝送路切替装置の伝送路断検出手段が現用系伝送路の伝送路断を検出した場合と同様に、一方の伝送路切替装置の品質劣化検出手段が現用系伝送路における通信品質の劣化を検出すると、一方の伝送路切替装置の送信手段は、伝送路切替要求を示す制御信号を主信号間に挿入して他方の伝送路切替装置に送信する。また、一方の伝送路切替装置の受信側切替手段は、受信ノードと現用系伝送路との接続を解除して受信ノードを予備系伝送路に接続する。これにより、現用系伝送路における通信品質の劣化が発生した場合にも、現用系伝送路から予備系伝送路への伝送路切替を実施できるため、通信装置間の通信品質を高く維持できる。従って、本発明は、高い通信品質が要求されるネットワークに対して特に有効である。
【００１２】
請求項４の伝送路切替システムは、請求項１記載の伝送路切替システムにおいて、各伝送路切替装置は、光伝送路として構成される現用系伝送路および予備系伝送路と前記送信側切替手段との間に設けられ、電光変換の機能不良を生じたときに遠端障害表示信号を相手側の伝送路切替装置に送信する電光変換手段と、光伝送路として構成される現用系伝送路および予備系伝送路と前記受信側切替手段との間に設けられた光電変換手段とを備え、前記受信側切替手段は、前記伝送路断検出手段による伝送路断の検出に加えて、相手側の伝送路切替装置から送信される遠端障害表示信号の受信にも応答して、受信ノードと現用系伝送路との接続を解除するとともに、受信ノードを予備系伝送路に接続し、前記送信手段は、前記伝送路断検出手段による伝送路断の検出に加えて、相手側の伝送路切替装置から送信される遠端障害表示信号の受信にも応答して、伝送路切替要求を示す制御信号を主信号間に挿入して相手側の伝送路切替装置に送信することを特徴とする。
【００１３】
以上のような構成の伝送路切替システムでは、一方の伝送路切替装置の伝送路断検出手段が現用系伝送路の伝送路断を検出した場合と同様に、一方の伝送路切替装置が遠端障害表示信号を他方の伝送路切替装置から受信すると、一方の伝送路切替装置の送信手段は、伝送路切替要求を示す制御信号を主信号間に挿入して他方の伝送路切替装置に送信する。また、一方の伝送路切替装置の受信側切替手段は、受信ノードと現用系伝送路との接続を解除して受信ノードを予備系伝送路に接続する。これにより、他方の伝送路切替装置の現用系伝送路に対応する電光変換手段の機能不良、すなわち他方の伝送路切替装置内の障害が発生した場合にも、現用系伝送路から予備系伝送路への伝送路切替を実施できるため、伝送路切替システムの信頼性を向上させることができる。
【００１４】
請求項５の伝送路切替システムの動作方法は、主信号を送受信する通信装置間に設けられた現用系伝送路および予備系伝送路と、各通信装置と現用系伝送路および予備系伝送路との間に設けられ、一方の送信ノードが他方の受信ノードに現用系伝送路を介して接続された一対の伝送路切替装置とを備えた伝送路切替システムの動作方法であって、一方の伝送路切替装置は、受信ノードに接続された現用系伝送路の伝送路断を、他方の伝送路切替装置から送信される主信号および接続検査信号の受信状況に基づいて検出したときに、伝送路切替要求を示す制御信号を主信号間に挿入して他方の伝送路切替装置に送信するとともに、受信ノードと現用系伝送路との接続を解除して受信ノードを予備系伝送路に接続し、他方の伝送路切替装置は、伝送路切替要求を示す制御信号を一方の伝送路切替装置から受信したときに、一方の伝送路切替装置への主信号の送信動作を停止するとともに、送信ノードと現用系伝送路との接続を解除して送信ノードを予備系伝送路に接続することを特徴とする。
【００１５】
以上のような伝送路切替システムの動作方法では、一方の伝送路切替装置は、伝送路切替要求を示す制御信号を主信号間に挿入して送信するため、制御信号が他方の伝送路切替装置に送信される主信号に影響を及ぼすことはない。このため、通信装置が利用するネットワークの帯域を占有することなく伝送路切替を実施でき、伝送路断を円滑に復旧できる。
【００１６】
請求項６の伝送路切替システムの動作方法は、請求項５記載の伝送路切替システムの動作方法において、他方の伝送路切替装置は、送信ノードの伝送路切替を完了したときに、伝送路切替完了を示す制御信号を一方の伝送路切替装置に送信し、一方の伝送路切替装置は、伝送路切替完了を示す制御信号を他方の伝送路切替装置から受信したときに、主信号の送信再開要求を示す制御信号を主信号間に挿入して他方の伝送路切替装置に送信し、他方の伝送路切替装置は、主信号の送信再開要求を示す制御信号を一方の伝送路切替装置から受信したときに、一方の伝送路切替装置への主信号の送信動作を再開することを特徴とする。
【００１７】
以上のような伝送路切替システムの動作方法では、他方の伝送路切替装置が伝送路切替完了を示す制御信号を一方の伝送路切替装置に送信することで、一方の伝送路切替装置における伝送路切替完了を示す制御信号の受信の有無により予備系伝送路の正常性を容易に確認できる。また、一方の伝送路切替装置は、主信号の送信再開要求を示す制御信号を主信号間に挿入して送信するため、制御信号が他方の伝送路切替装置に送信される主信号に影響を及ぼすことはない。このため、通信装置が利用するネットワークの帯域を占有することなく、他方の伝送路切替装置における主信号の送信動作を再開できる。
【００１８】
請求項７の伝送路切替システムの動作方法は、請求項５記載の伝送路切替システムの動作方法において、一方の伝送路切替装置は、受信ノードに接続された現用系伝送路の伝送路断を検出したときに加えて、受信ノードに接続された現用系伝送路における通信品質の劣化を、他方の伝送路切替装置から送信される主信号中の品質検査情報に基づいて検出したときにも、伝送路切替要求を示す制御信号を主信号間に挿入して相手側の伝送路切替装置に送信するとともに、受信ノードと現用系伝送路との接続を解除して受信ノードを予備系伝送路に接続することを特徴とする。
【００１９】
以上のような伝送路切替システムの動作方法では、現用系伝送路における通信品質の劣化が発生した場合にも、現用系伝送路から予備系伝送路への伝送路切替を実施できるため、通信装置間の通信品質を高く維持できる。従って、本発明は、高い通信品質が要求されるネットワークに対して特に有効である。
請求項８の伝送路切替システムの動作方法は、請求項５記載の伝送路切替システムの動作方法において、一方の伝送路切替装置は、現用系伝送路および予備系伝送路が光伝送路として構成される場合、受信ノードに接続された現用系伝送路の伝送路断を検出したときに加えて、他方の伝送路切替装置の現用系伝送路に対応する電光変換の機能不良に伴う遠端障害表示信号を受信したときにも、伝送路切替要求を示す制御信号を主信号間に挿入して相手側の伝送路切替装置に送信するとともに、受信ノードと現用系伝送路との接続を解除して受信ノードを予備系伝送路に接続することを特徴とする。
【００２０】
以上のような伝送路切替システムの動作方法では、他方の伝送路切替装置の現用系伝送路に対応する電光変換の機能不良、すなわち他方の伝送路切替装置内の障害が発生した場合にも、現用系伝送路から予備系伝送路への伝送路切替を実施できるため、伝送路切替システムの信頼性を向上させることができる。
【発明の効果】
【００２１】
本発明の伝送路切替システムおよび伝送路切替システムの動作方法では、通信装置が利用するネットワークの帯域を占有することなく伝送路切替を実施でき、伝送路断を円滑に復旧できる。また、現用系伝送路における通信品質の劣化が発生した場合にも現用系伝送路から予備系伝送路への伝送路切替を実施でき、通信装置間の通信品質を高く維持できる。
【発明を実施するための最良の形態】
【００２２】
以下、図面を用いて本発明の実施形態について説明する。
図１は、本発明の第１の実施形態を示している。伝送路切替システム１００は、２心のイーサネット（登録商標）網を利用してユーザパケット（主信号）を送受信するパーソナルコンピュータ等のネットワーク機器４００、４５０（通信装置）間に設けられた現用系伝送路２００および予備系伝送路２５０（電気ケーブル）と、各ネットワーク機器４００、４５０と現用系伝送路２００および予備系伝送路２５０との間に設けられた一対の伝送路切替装置３００、３５０とを有している。伝送路切替装置３００、３５０は、現用系伝送路２００（予備系伝送路２５０）で伝送路障害（伝送路断および通信品質劣化）が発生したときに、伝送路切替を実施するとともに、ネットワーク全体を監視制御する監視制御センタ５００、５５０に伝送路障害の発生を通知する。
【００２３】
図２は、図１の伝送路切替システム１００の詳細を示している。伝送路切替装置３００は、送信回路３０２（送信手段）、バッファ（ＢＵＦ）３０４、切替回路３０６（送信側切替手段）、切替回路３０８（受信側切替手段）、分配回路３１０、検出回路３１２（伝送路断検出手段）、検出回路３１４（品質劣化検出手段）および制御回路３１６を有している。伝送路切替装置３５０は、伝送路切替装置３００と同一装置であり、伝送路切替装置３００と同一の構成要素（送信回路３５２、バッファ（ＢＵＦ）３５４、切替回路３５６、切替回路３５８、分配回路３６０、検出回路３６２、検出回路３６４および制御回路３６６）を有している。このため、以下では、伝送路切替装置３００についてのみ説明する。
【００２４】
送信回路３０２は、ネットワーク機器４００から受信したユーザパケットを一時的にバッファ３０４に格納し、切替回路３０６に送出する。バッファ１０４に格納されたパケットは、所定時間が経過すると破棄され、送信回路３０２は、新たに受信したユーザパケットをバッファ１０４に格納する。送信回路３０２は、制御回路３１６からのユーザパケットの送信停止要求に応答してユーザパケットの送信動作を停止し、制御回路３１６からのユーザパケットの送信再開要求に応答してユーザパケットの送信動作を再開する。また、送信回路３０２は、制御回路３１６から送出される制御パケット（制御信号）をユーザパケット間（パケット間ギャップ）に挿入して切替回路３０６に送出する。
【００２５】
切替回路３０６は、送信回路３０２と現用系伝送路２００および予備系伝送路２５０との間に設けられ、制御回路３１６からの伝送路切替要求に応答して伝送路切替を実施する。具体的には、切替回路３０６は、制御回路３１６からの伝送路切替要求に応答して、送信回路３０２に接続された送信ノードＮＳと現用系伝送路２００（予備系伝送路２５０）との接続を解除するとともに、送信ノードＮＳを予備系伝送路２５０（現用系伝送路２００）に接続する。切替回路３０６は、伝送路切替が完了したときに、自身の伝送路切替完了ビットをセットする。また、切替回路３０６は、現用系伝送路２００および予備系伝送路２５０の正常性を検査するためのリンクテストパルス（接続検査信号）を所定周期（例えば、１６ｍｓ間隔）で現用系伝送路２００および予備系伝送路２５０に送出する。すなわち、切替回路３０６は、接続検査信号を相手側の伝送路切替装置に送信する接続検査信号送信手段としても機能する。
【００２６】
切替回路３０８は、現用伝送路２００および予備系伝送路２５０と分配回路３１０との間に設けられ、制御回路３１６からの伝送路切替要求に応答して伝送路切替を実施する。具体的には、切替回路３０８は、制御回路３１６からの伝送路切替要求に応答して、分配回路３１０に接続された受信ノードＮＲと現用系伝送路２００（予備系伝送路２５０）との接続を解除するとともに、受信ノードＮＲを予備系伝送路２５０（現用系伝送路２００）に接続する。
【００２７】
分配回路３１０は、現用系伝送路２００（予備系伝送路２５０）および切替回路３０８を介して受信した信号がリンクテストパルスである場合、受信した信号を検出回路３１２に送出し、受信した信号がパケット（ユーザパケットまたは制御パケット）である場合、受信した信号を検出回路３１４に送出する。
検出回路３１２は、分配回路３１０から送出されるリンクテストパルスを受信する。検出回路１１２は、リンクテストパルスを所定期間（例えば、８０ｍｓ）受信しない場合、後述する検出回路３１４から”ユーザパケットの受信無し”が通知されているときに、現用系伝送路２００（予備系伝送路２５０）で伝送路断が発生したと判断し、自身の伝送路断ビットおよび伝送路断が発生した伝送路に対応する伝送路ビットをセットする。
【００２８】
検出回路３１４は、ＦＣＳ（Frame Check Seaquence）チェックカウンタ（ＦＣＣ）３１８および送信回路３２０を有し、分配回路３１０から送出されるパケットを受信する。検出回路３１４は、受信したパケットがユーザパケットである場合、伝送損失を検査するためにイーサネット（登録商標）のユーザパケットに用意されているＦＣＳフィールドの値（品質検査情報）を使用して、ＦＣＳチェックカウンタ３１８によりＦＣＳエラー数を常時監視している。検出回路３１４は、ＦＣＳチェックカウンタ３１８によりＦＣＳエラーを検出しなかった場合、送信回路３２０によりユーザパケットをネットワーク機器４００に送信し、ＦＣＳエラーを検出した場合、ユーザパケットを破棄する。検出回路３１４は、例えば、制御回路３１６により設定されたＦＣＳエラー率（所定時間内に発生したＦＣＳエラー数）の閾値を保持しており、ＦＣＳエラー率が閾値を超過した場合、現用系伝送路２００（予備系伝送路２５０）で通信品質の劣化が発生したと判断し、自身の通信品質劣化ビットおよび通信品質の劣化が発生した伝送路に対応する伝送路ビットをセットする。
【００２９】
また、検出回路３１４は、受信したパケットが制御パケットである場合、制御パケットが伝送路切替要求を示すとき自身の伝送路切替要求ビットをセットし、制御パケットが伝送路切替完了を示すとき自身の伝送路切替完了ビットをセットし、制御パケットがユーザパケットの送信再開要求を示すとき自身の送信再開要求ビットをセットする。さらに、検出回路３１４は、分配回路３１０からのユーザパケットの受信の有無を検出回路３１２に常時通知している。
【００３０】
制御回路３１６は、検出回路３１２の伝送路断ビット、検出回路３１４の通信品質劣化ビット、伝送路切替要求ビット、伝送路切替完了ビット、送信再開要求ビットおよび切替回路３０６の伝送路切替完了ビットを所定周期（例えば、１００ｍｓ間隔）で参照している。制御回路３１６は、検出回路３１２の伝送路断ビットがセットされている場合、切替回路３０８の受信ノードＮＲに接続されている現用系伝送路２００（予備系伝送路２５０）で伝送路断が発生したことを認識し、伝送路切替要求を示す制御パケットを生成して送信回路３０２に送出するとともに、切替回路３０８に伝送路切替を要求する。制御回路３１６は、検出回路３１４の通信品質劣化ビットがセットされている場合、切替回路３０８の受信ノードＮＲに接続されている現用系伝送路２００（予備系伝送路２５０）で通信品質の劣化が発生したことを認識し、伝送路切替要求を示す制御パケットを生成して送信回路３０２に送出するとともに、切替回路３０８に伝送路切替を要求する。また、制御回路３１６は、検出回路３１２の伝送路断ビットまたは検出回路３１４の通信品質劣化ビットがセットされている場合、監視制御センタ５００に伝送路障害（伝送路断または通信品質劣化）の発生を通知する。
【００３１】
また、制御回路３１６は、検出回路３１４の伝送路切替要求ビットがセットされている場合、切替回路３０６の送信ノードＮＳに接続されている現用系伝送路２００（予備系伝送路２５０）で伝送路断が発生したことを認識し、送信回路３０２にユーザパケットの送信停止を要求するとともに、切替回路３０６に伝送路切替を要求する。制御回路３１６は、検出回路３１４の伝送路切替完了ビットがセットされている場合、伝送路切替装置３５０における伝送路切替が完了したことを認識し、ユーザパケットの送信再開要求を示す制御パケットを生成して送信回路３０２に送出する。制御回路３１６は、検出回路３１４の送信再開要求ビットがセットされている場合、切替回路３０６の送信ノードＮＳに接続されている予備系伝送路２５０（現用系伝送路２００）の正常性が確認されたことを認識し、送信回路３０２にユーザパケットの送信再開を要求する。制御回路３１６は、切替回路３０６の切替完了ビットがセットされている場合、切替回路３０６による伝送路切替が完了したことを認識し、伝送路切替完了を示す制御パケットを生成して送信回路３０２に送出する。
【００３２】
図３は、図２の送信回路３０２の制御パケット送出動作を示している。伝送路切替装置３００の送信回路３０２は、制御回路３１６から制御パケットを受信すると、パケット間ギャップＩＰＧに制御パケットを挿入して切替回路３０６に送出する。このため、制御パケットが伝送路切替装置３５０に送信されるユーザパケットに影響を及ぼすことはない。すなわち、制御パケットを伝送路切替装置３５０に送出するためにネットワークの帯域を占有することはない。
【００３３】
図４は、図２の制御回路３１６により生成される制御パケットの一例を示している。図４（ａ）は、制御パケットの構成例を示し、図４（ｂ）は、制御パケットの構成要素の定義を示している。制御回路３１６は、制御パケットの開始を示すプリアンブルＦ０〜Ｆ７、制御パケットの内容を示す信号識別子Ｃ０、Ｃ１、発生した伝送路障害が伝送路断であることを示す障害識別子Ｃ１、発生した伝送路障害が通信品質の劣化であることを示す障害識別子Ｃ２、伝送路障害が発生した伝送路を示す伝送路識別子Ｓ０〜Ｓ７、制御パケットの終了を示す終了識別子Ｅ０〜Ｅ７で構成される３バイトの制御パケットを生成する。制御回路３１６により生成される制御パケット（３バイト）はユーザパケットより十分に小さく、パケット間ギャップの最小値は１２バイトであるため、送信回路３０２は、制御パケットをパケット間ギャップに確実に挿入できる。
【００３４】
制御回路３１６は、伝送路断の発生に伴う伝送路切替要求を示す制御パケットを生成する場合、信号識別子Ｃ０、Ｃ１を”０１”、障害識別子Ｃ２を”１”、伝送路識別子Ｓ０〜Ｓ４のうち伝送路断が発生した伝送路に対応する伝送路識別子を”１”に設定する。制御回路３１６は、通信の品質劣化の発生に伴う伝送路切替要求を示す制御パケットを生成する場合、信号識別子Ｃ０、Ｃ１を”０１”、障害識別子Ｃ３を”１”、伝送路識別子Ｓ０〜Ｓ４のうち通信品質の劣化が発生した伝送路に対応する伝送路識別子を”１”に設定する。制御回路３１６は、伝送路切替完了を示す制御パケットを生成する場合、信号識別子Ｃ０、Ｃ１を”１０”に設定する。制御回路３１６は、ユーザパケットの送信再開要求を示す制御パケットを生成する場合、信号識別子Ｃ０、Ｃ１を”１１”に設定する。
【００３５】
図５は、図２の伝送路切替システム１００の伝送路切替動作を示している。この例では、現用系伝送路２００の上り回線（図２の上側）で伝送路障害（伝送路断および通信品質劣化）が発生した場合について説明する。まず、現用系伝送路２００の上り回線で伝送路断が発生した場合について説明する。
ステップＳ５１において、現用系伝送路２００の上り回線で伝送路断が発生すると、伝送路切替装置３５０の検出回路３６２は、伝送路切替装置３００の切替回路３０６から送出されるリンクテストパルスを受信できない。また、伝送路切替装置３５０の検出回路３６４は、伝送路切替装置３００の送信回路３０２から送出されるユーザパケットを受信できない。このため、伝送路切替装置３５０の検出回路３６２は、自身の伝送路断ビットおよび現用系伝送路２００の上り回線を示す伝送路ビットをセットする。
【００３６】
ステップＳ５３において、伝送路切替装置３５０の制御回路３６６は、検出回路３６２の伝送路断ビットがセットされていることを認識すると、伝送路切替要求を示す制御パケット”ｈ’ＡＡ６８０Ａ（Ｃ１＝１、Ｃ２＝１、Ｓ０＝１）”を生成して送信回路３５２に送出する。これにより、伝送路切替装置３５０の送信回路３５２は、伝送路切替要求を示す制御パケットをパケット間ギャップに挿入して伝送路切替装置３００に送出する。
【００３７】
ステップＳ５４において、伝送路切替装置３５０の制御回路３６６は、切替回路３５８に伝送路切替を要求する。これにより、伝送路切替装置３５０の切替回路３５８は、受信ノードＮＲと現用系伝送路２００の上り回線との接続を解除するとともに、受信ノードＮＲを予備系伝送路２５０の上り回線（図２の上側）に接続する。
ステップＳ０１において、伝送路切替装置３００の検出回路３１４は、伝送路切替装置３５０の送信回路３５２から送出された制御パケットを分配回路３１０を介して受信すると、受信した制御パケットが伝送路切替要求を示しているため、切替回路３０６の送信ノードＮＳが接続されている現用系伝送路２００の上り回線で伝送路障害（伝送路断）が発生したことを認識し、自身の伝送路切替要求ビットをセットする。
【００３８】
ステップＳ０２において、伝送路切替装置３００の制御回路３１６は、検出回路３１４の伝送路切替要求ビットがセットされていることを認識すると、送信回路３０２にユーザパケットの送信停止を要求する。これにより、伝送路切替装置３００の送信回路３０２は、ユーザパケットの送信動作を停止する。
ステップＳ０３において、伝送路切替装置３００の制御回路３１６は、切替回路３０６に伝送路切替を要求する。これにより、伝送路切替装置３００の切替回路３０６は、送信ノードＮＳと現用系伝送路２００の上り回線との接続を解除するとともに、送信ノードＮＳを予備系伝送路２５０の上り回線に接続する。伝送路切替装置３００の切替回路３０６は、伝送路切替が完了すると、自身の伝送路切替完了ビットをセットする。
【００３９】
ステップＳ０４において、伝送路切替装置３００の制御回路３１６は、切替回路３０６の伝送路切替完了ビットがセットされていることを認識すると、伝送路切替完了を示す制御パケット”ｈ’ＡＡ８００Ａ（Ｃ０＝１）”を生成して送信回路３０２に送出する。これにより、伝送路切替装置３００の送信回路３０２は、伝送路切替完了を示す制御パケットを伝送路切替装置３５０に送出する。
【００４０】
ステップＳ５５において、伝送路切替装置３５０の検出回路３５４は、伝送路切替装置３００の送信回路３０２から送出された制御パケットを分配回路３５０を介して受信すると、受信した制御パケットが伝送路切替完了を示しているため、伝送路切替装置３００における伝送路切替が完了したことを認識し、自身の伝送路切替完了ビットをセットする。
ステップＳ５６において、伝送路切替装置３５０の制御回路３６６は、検出回路３１４の伝送路切替完了ビットがセットされていることを認識すると、ユーザパケットの送信再開要求を示す制御パケット”ｈ’ＡＡＣ００Ａ（Ｃ０＝１、Ｃ１＝１）”を生成して送信回路３０２に送出する。これにより、伝送路切替装置３５０の送信回路３５２は、ユーザパケットの送信再開要求を示す制御パケットをパケット間ギャップに挿入して伝送路切替装置３００に送出する。
【００４１】
ステップＳ５７において、伝送路切替装置３５０の制御回路３６６は、現用系伝送路２００の上り回線で伝送路断が発生したことを通知する。
ステップＳ０５において、伝送路切替装置３００の検出回路３１４は、伝送路切替装置３５０の送信回路３５２から送出された制御パケットを分配回路３１０を介して受信すると、受信した制御パケットがユーザパケットの送信再開要求を示しているため、切替回路３０６の送信ノードＮＳに接続されている予備系伝送路２５０の上り回線の正常性が確認されたことを認識し、自身の送信再開要求ビットをセットする。
【００４２】
ステップＳ０６において、伝送路切替装置３００の制御回路３１６は、検出回路３１４の送信再開要求ビットがセットされていることを認識すると、送信回路３０２にユーザパケットの送信再開を要求する。これにより、伝送路切替装置３００の送信回路３０２は、ユーザパケットの送信動作を再開し、伝送路切替システム１００における伝送路断の復旧が完了する。なお、予備系伝送路２５０の上り回線から現用系伝送路２００の上り回線への伝送路切替も同様に実施され、現用系伝送路２００の下り回線（図２の下側）で伝送路障害が発生した場合にも同様の伝送路切替が実施される。
【００４３】
次に、現用系伝送路２００の上り回線で通信品質の劣化が発生した場合について説明する。
ステップＳ５２において、現用系伝送路２００の上り回線で通信品質の劣化が発生すると、伝送路切替装置３５０の検出回路３６４は、ＦＣＳチェックカウンタ３６８により得られるＦＣＳエラー率が閾値を超過するため、自身の通信品質劣化ビットおよび現用系伝送路２００の上り回線を示す伝送路ビットをセットする。
【００４４】
ステップＳ５３において、伝送路切替装置３５０の制御回路３６６は、検出回路３６４の通信品質劣化ビットがセットされていることを認識すると、伝送路切替要求を示す制御パケット”ｈ’ＡＡ５８０Ａ（Ｃ１＝１、Ｃ３＝１、Ｓ０＝１）”を生成して送信回路３５２に送出する。これにより、伝送路切替装置３５０の送信回路３５２は、伝送路切替要求を示す制御パケットをパケット間ギャップに挿入して伝送路切替装置２００に送出する。
【００４５】
この後、現用系伝送路２００の上り回線で伝送路断が発生した場合と同様に、ステップＳ５４、ステップＳ０１〜Ｓ０４、ステップＳ５５〜Ｓ５７およびステップＳ０５〜Ｓ０６が順次実施され、伝送路切替システム１００における通信品質劣化の復旧が完了する。
以上のような伝送路切替システム１００では、伝送路障害が発生してから伝送路切替装置３５０の制御回路３６６が伝送路障害の発生を認識するまで１８０ｍｓかかる。現用系伝送路２００の伝送速度を１００Ｍｂｐｓとすると、伝送路切替装置３５０が３バイトの制御パケットを送信してから伝送路切替装置３００がその制御パケットを受信するまで０．２４μｓかかる。伝送路切替装置３００が伝送路切替要求を示す制御パケットを受信してから伝送路切替装置３００の制御回路３１６が伝送路切替要求を認識するまで１００ｍｓかかる。伝送路切替装置３５０が伝送路切替完了を示す制御パケットを受信してから伝送路切替装置３５０の制御回路３６６が伝送路切替完了を認識するまで１００ｍｓかかる。伝送路切替装置３００がユーザパケットの送信再開要求を示す制御パケットを受信してから伝送路切替装置３００の制御回路３１６がユーザパケットの送信再開要求を認識するまで１００ｍｓかかる。伝送路切替装置３００（３５０）の制御回路３１６（３５６）が切替回路や送信回路に各種要求を出してからそれらが実行されるまで１ｍｓかかる。従って、伝送路切替システム１００では、伝送路障害が発生してから高々５００ｍｓ程度で伝送路障害が復旧される。これに対して、ラピッドスパニングツリープロトコル（ＲＳＴＰ）等の従来の伝送路障害復旧技術では数秒程度かかる。すなわち、本発明の伝送路切替システム１００では、伝送路障害の復旧に要する時間が大幅に短縮される。
【００４６】
以上、第１の実施形態では、伝送路切替装置３００（３５０）の送信回路３０２（３５２）は、伝送路切替要求を示す制御パケットをパケット間ギャップに挿入して送信するため、制御パケットが伝送路切替装置３５０（３００）に送信されるユーザパケットに影響を及ぼすことはない。このため、ネットワークの帯域を占有することなく伝送路切替を実施でき、伝送障害（伝送路断および通信品質劣化）を円滑に復旧できる。また、現用系伝送路２００における通信品質の劣化が発生した場合にも、現用系伝送路２００から予備系伝送路２５０への伝送路切替を実施できるため、ネットワーク機器４００、４５０間の通信品質を高く維持できる。さらに、伝送路障害復旧に要する時間を大幅に短縮でき、ネットワーク利用者に快適な環境を提供できる。
【００４７】
伝送路切替装置３００（３５０）の送信回路３０２（３５２）が伝送路切替完了を示す制御パケットを伝送路切替装置３５０（３００）に送信することで、伝送路切替装置３５０（３００）における伝送路切替完了を示す制御パケットの受信の有無（すなわち、検出回路３６４（３１４）の伝送路切替完了ビットの状態）により予備系伝送路２５０の正常性を容易に確認できる。また、伝送路切替装置３００（３５０）の送信回路３０２（３５２）は、ユーザパケットの送信再開要求を示す制御パケットをパケット間ギャップに挿入して送信するため、制御パケットが伝送路切替装置３５０（３００）に送信されるユーザパケットに影響を及ぼすことはない。このため、ネットワークの帯域を占有することなく、伝送路切替装置３５０（３００）におけるユーザパケットの送信動作を再開できる。
【００４８】
図６は、本発明の第２の実施形態を示している。なお、第１の実施形態で説明した要素と同一の要素については、同一の符号を付し、詳細な説明を省略する。伝送路切替システム１００ａは、第１の実施形態の現用系伝送路２００および予備系伝送路２５０（図１）に代えて現用系伝送路２００ａおよび予備系伝送路２５０ａ（光ケーブル）を有し、第１の実施形態の伝送路切替装置３００、３５０に代えて伝送路切替装置３００ａ、３５０ａを有している。伝送路切替装置３００ａは、第１の実施形態の伝送路切替装置３００（図２）にＥＯ変換器（電光変換器）３２２、３２４（電光変換手段）およびＯＥ変換器（光電変換器）３２６、３２８（光電変換手段）を加えて構成され、第１の実施形態の検出回路３１４および制御回路３１６に代えて検出回路３１４ａおよび制御回路３１６ａを有している。伝送路切替装置３５０ａは、第１の実施形態の伝送路切替装置３５０にＥＯ変換器３７２、３７４およびＯＥ変換器３７６、３７８を加えて構成され、第１の実施形態の検出回路３６４および制御回路３６６に代えて検出回路３６４ａおよび制御回路３６６ａを有している。伝送路切替装置３５０ａは、伝送路切替装置３００ａと同一装置であるため、以下では、伝送路切替装置３００ａについてのみ説明する。
【００４９】
ＥＯ変換器３２２は、切替回路３０６と現用系伝送路２００ａとの間に設けられ、切替回路３０６から受信した電気信号を光信号に変換して現用系伝送路２００ａに送出する。ＥＯ変換器３２４は、切替回路３０６と予備系伝送路２５０ａとの間に設けられ、切替回路３０６から受信した電気信号を光信号に変換して予備系伝送路２５０ａに送出する。ＥＯ変換器３２２、３２４は、電光変換の機能不良が生じたときに、ＦＥＦＩ（Far End Fault Indication；遠端障害表示）パケット（遠端障害表示信号）を現用系伝送路２００ａおよび予備系伝送路２５０ａにそれぞれ送出する。
【００５０】
ＯＥ変換器３２６は、現用系伝送路２００ａと切替回路３０８との間に設けられ、現用系伝送路２００ａを介して受信した光信号を電気信号に変換して分配回路３１０に送出する。ＯＥ変換器３２８は、現用系伝送路２５０ａと切替回路３０８との間に設けられ、予備系伝送路２５０ａを介して受信した光信号を電気信号に変換して分配回路３１０に送出する。検出回路３１４ａは、受信したパケットがＦＥＦＩパケットである場合、自身のＦＥＦＩビットおよび切替回路３０８の受信ノードＮＲが接続されている伝送路に対応する伝送路ビットをセットする。検出回路３１４ａのその他の構成および動作は、第１の実施形態の検出回路３１４と同一である。
【００５１】
制御回路３１６ａは、検出回路３１４ａのＦＥＦＩビットを所定周期（例えば、１００ｍｓ間隔）で参照している。制御回路３１６ａは、検出回路３１４ａのＦＥＦＩビットがセットされている場合、切替回路３０８の受信ノードＮＲに接続されている現用系伝送路２００ａ（予備系伝送路２５０ａ）に対応する伝送路切替装置３５０ａのＥＯ変換器３７２（３７４）の機能不良が発生したことを認識し、伝送路切替要求を示す制御パケットを生成して送信回路３０２に送出するとともに、切替回路３０８に伝送路切替を要求する。制御回路３１６ａのその他の構成および動作は、第１の実施形態の制御回路３１６と同一である。
【００５２】
以上のような構成の伝送路切替システム１００ａでは、伝送路切替装置３５０ａが現用系伝送路２００ａの伝送路断を検出した場合と同様に、伝送路切替装置３５０ａがＦＥＦＩパケットを伝送路切替装置３００ａから受信すると、伝送路切替装置３５０ａの送信回路３５２は、伝送路切替要求を示す制御パケットをユーザパケット間に挿入して伝送路切替装置３００ａに送信する。また、伝送路切替装置３５０ａの切替回路３５８は、受信ノードＮＲと現用系伝送路２００ａとの接続を解除して受信ノードＮＲを予備系伝送路２５０ａに接続する。これにより、伝送路切替装置３００ａの現用系伝送路２００ａに対応するＥＯ変換器３２２の機能不良が発生した場合にも、現用系伝送路２００ａから予備系伝送路２５０ａへの伝送路切替が実施される。なお、予備系伝送路２５０ａから現用系伝送路２００ａへの伝送路切替も同様に実施され、伝送路切替装置３００ａがＦＥＦＩパケットを伝送路切替装置３５０ａから受信する場合にも同様の伝送路切替が実施される。
【００５３】
以上、第２の実施形態でも、第１の実施形態と同様の効果が得られる。さらに、伝送路切替装置３００ａ（３５０ａ）の現用系伝送路２００ａに対応するＥＯ変換器３２２（３７２）の機能不良、すなわち伝送路切替装置３００ａ（３５０ａ）内の障害が発生した場合にも、現用系伝送路２００ａから予備系伝送路２５０ａへの伝送路切替を実施できるため、伝送路切替システム１００ａの信頼性を向上させることができる。
【００５４】
以上、本発明について詳細に説明してきたが、前述の実施形態およびその変形例は発明の一例に過ぎず、本発明はこれらに限定されるものではない。本発明を逸脱しない範囲で変形可能であることは明らかである。
【図面の簡単な説明】
【００５５】
【図１】本発明の第１の実施形態を示すブロック図である。
【図２】図１の伝送路切替システムの詳細を示すブロック図である。
【図３】図２の送信回路の制御パケット送出動作を示している。
【図４】図２の制御回路により生成される制御パケットの一例を示している。
【図５】図２の伝送路切替システムの伝送路切替動作を示すフローチャートである。
【図６】本発明の第２の実施形態を示すブロック図である。
【図７】従来の伝送路切替システムを示す説明図である。
【符号の説明】
【００５６】
１００、１００ａ  伝送路切替システム
２００、２００ａ  現用系伝送路
２５０、２５０ａ  予備系伝送路
３００、３００ａ、３５０、３５０ａ  伝送路切替装置
３０２、３５２  送信回路
３０４、３５４  バッファ
３０６、３０８、３５６、３５８  切替回路
３１０、３６０  分配回路
３１２、３１４、３１４ａ、３６２、３６４、３６４ａ  検出回路
３１６、３１６ａ、３６６、３６６ａ  制御回路
３１８、３６８  ＦＣＳチェックカウンタ
３２０、３７０  送信回路
３２２、３２４、３７２、３７４  ＥＯ変換器
３２６、３２８、３７７、３７８  ＯＥ変換器
４００、４５０  ネットワーク機器
５００、５５０  監視制御センタ
ＮＲ  受信ノード
ＮＳ  送信ノード
ＩＰＧ  パケット間ギャップ
【図１】
2005268889.tif 000003
【図２】
2005268889.tif 000004
【図３】
2005268889.tif 000005
【図４】
2005268889.tif 000006
【図５】
2005268889.tif 000007
【図６】
2005268889.tif 000008
【図７】
2005268889.tif 000009